(57)【要約】【課題】  必要な長さの呼び樋を施工現場で容易に測定できる呼び樋測定用治具を提供する。【解決手段】  本発明の呼び樋測定用治具は、呼び樋測定用治具であって、ドレン下部の排水筒部に上端が着脱自在に筒嵌合される筒状ドレン部材２と竪樋上端部に下端が着脱自在に筒嵌合される筒状竪樋部材５とが巻き取り自在な復帰力を有する帯状メジャー（コンベックス７）で結合されてなることを特徴とする。更には、Ｌ字状に曲成された筒体１の一端を筒状ドレン部材２とすると共に他端をコンベックス係合部３とし、他のＬ字状に曲成された筒体４の一端を筒状竪樋部材５とすると共に他端をコンベックス係合部６とし、筒状ドレン部材２と筒状竪樋部材５とがコンベックス７で結合されてなる呼び樋測定用治具である。【選択図】図２
2006328746.tif 000002
【特許請求の範囲】
【請求項１】
呼び樋測定用治具であって、ドレン下部の排水筒部に上端が着脱自在に筒嵌合される筒状ドレン部材と竪樋上端部に下端が着脱自在に筒嵌合される筒状竪樋部材とが巻き取り自在な復帰力を有する帯状メジャーで結合されてなる呼び樋測定用治具。
【請求項２】
請求項１において、Ｌ字状に曲成された筒体の一端を筒状ドレン部材とすると共に他端をコンベックス係合部とし、他のＬ字状に曲成された筒体の一端を筒状竪樋部材とすると共に他端をコンベックス係合部とし、筒状ドレン部材と筒状竪樋部材とがコンベックスで結合されてなる呼び樋測定用治具。
【発明の詳細な説明】
【技術分野】
【０００１】
本願発明は、軒先に設けられている軒樋や集水器から建物の壁面に沿って設けられた竪樋まで雨水を導くための呼び樋を設置するに際し、必要な呼び樋の長さを正確に測定することのできる呼び樋測定用治具に関するものである。
【背景技術】
【０００２】
従来から、呼び樋やエルボの角度に適合する軒樋の落とし口（集水器）の設置位置を簡単に決定できる軒樋落とし口決め治具は知られている（特許文献１）。この従来の軒樋落とし口位置決め治具は呼び樋勾配定規の一端部に壁面当接定規を回転自在に取り付け、他端部に鼻隠し板当接定規を回転自在で且つ長手方向に移動自在に取り付けてなるもので、呼び樋やエルボの角度を先に決め、この角度に適合した軒樋落とし口の位置を決めようとするものである。又、呼び樋を竪樋側と接続するにあたり呼び樋の竪樋側切断位置を測定するための呼び樋測定用治具は知られている（特許文献２）。この従来の呼び樋測定用治具は竪樋被固定部位に配置する基部とこの基部に回動自在に取り付けられた測定部材で構成されるもので、測定部材には測定部材の傾斜角度表示目盛と測定部材を所定の角度に傾斜させたときの壁面からの水平距離を表示する切断位置表示目盛とが設けられている。この呼び樋測定用治具では測定部材を呼び樋のあらかじめ設定した傾斜角度まで回動させて壁面からの水平距離を知るものである。
【特許文献１】特開平０８−４２２９号公報
【特許文献２】実開平０５−９０３０４号公報
【発明の開示】
【発明が解決しようとする課題】
【０００３】
しかしながら、上記従来例にあって、前者は軒樋落とし口の位置決めを行うものであり、呼び樋やエルボの角度に適合する軒樋の落とし口の位置を決めるもので直接的に呼び樋の適切な長さを測定するものではない。又、後者は呼び樋の必要な長さを得るための切断位置を正確に測定する呼び樋測定用治具であるが、この呼び樋測定用治具では設置する呼び樋の設置角度が設定されている必要がある。すなわち、この呼び樋測定用治具では測定部材を、呼び樋のあらかじめ設定した傾斜角度に傾斜するまで回動させる必要があるからである。一般に、軒樋の落とし口の位置は固定されたものでなく、軒先の状態、窓の位置等により移動するものである。又、竪樋においても壁面からの距離などは一定せず、施工者により種々異なるものである。このために、後者において、呼び樋のあらかじめ設定された傾斜角度を利用して呼び樋の切断位置を正確に測定することは困難なものである。
【課題を解決するための手段】
【０００４】
上記課題を解決するために、本願発明の呼び樋測定用治具は、ドレン（雨水落とし口、軒樋落とし口、集水器等）下部の排水筒部に上端が着脱自在に嵌合される筒状ドレン部材と竪樋上端部に下端が着脱自在に嵌合される筒状竪樋部材とが巻き取り自在な復帰力を有する帯状メジャー部材で結合されて構成されるものである。ここで巻き取り自在な復帰力を有する帯状メジャー部材とは、例えばコンベックスである。
【発明の効果】
【０００５】
本願発明の呼び樋測定用治具においては、軒先に設置する軒樋、ドレンの施工を行い、壁面に施工する竪樋の施工も行う。ドレンの位置、竪樋の位置は現場によってそれぞれ異なるが、本願発明の呼び樋測定用治具では、まず筒状ドレン部材をドレン下部の排水筒部に嵌合し次に竪樋上端部に筒状竪樋部材を嵌合する。この場合、筒状ドレン部材と筒状竪樋部材とは巻き取り自在な復帰力を有する帯状メジャーで結合されているためにドレンと竪樋の位置が現場によって異なっても対応することが出来るものであると共に帯状メジャーにより筒状ドレン部材と筒状竪樋部材の距離、つまり、ドレン下部の排水筒部と竪樋上端部の距離が測定されたことになり、呼び樋の必要長さが測定されたことになる。また筒状ドレン部材、筒状竪樋部材共に着脱自在に筒嵌合されているために、筒方向に引くだけで取り外しでき取り外しも容易なものである。
【発明を実施するための最良の形態】
【０００６】
図１〜４は、本願の請求項１〜２の全てに対応した一実施形態である呼び樋測定用治具を示している。この実施形態の呼び樋測定用治具では、Ｌ字状に曲成された筒体１の上端を筒状ドレン部材２とし他端をコンベックス係合部３としている。Ｌ字状に曲成された他方の筒体４の下端を筒状竪樋部材５とし他端をコンベックス係合部６としている。７はコンベックスを示している。コンベックス７は巻き取り自在な復帰力を有する帯状メジャーで構成されている。筒体１と筒体４を離間せしめるとコンベックス７は巻きほどかれ図１から図２の状態になる。コンベックス７は巻き取り自在な復帰力を有するメジャーであるために筒体１と筒体４を離間せしめる外力を除くと呼び樋測定用治具は図２の状態から図１の状態に復帰する。このために使用前の状態は小型化され持ち運びが容易なものである。コンベックス係合部３およびコンベックス係合部６はコンベックス７を保持する部分であればよく特定の構造を限定したものではない。
【０００７】
図３、図４は呼び樋測定用治具の使用状態を示す側面説明図である。８はドレン下部の排水筒部、９は竪樋、１０は屋根、１１は壁面を示すものである。図３に示す如く、壁面１１に施工された竪樋９上端部に筒状竪樋部材５を嵌合する。この場合、筒状竪樋部材５の嵌合深さを調整することによりドレン下部の排水筒部８と筒状ドレン部材２の高低を調整することができる。次に筒状ドレン部材２をドレン下部の排水筒部８に嵌合する。筒状ドレン部材２と筒状竪樋部材５とは離間しているがコンベックス７で結合されているためにコンベックス７は巻きほどかれ筒状竪樋部材５と筒状ドレン部材２の距離がコンベックス７により測定されたことになり、必要な呼び樋の長さが測定されたことになる。呼び樋測定用治具の使用が完了したときは、筒状竪樋部材５および筒状ドレン部材２の各々の嵌合を抜けばコンベックス７の復帰力により該呼び樋測定用治具が小型化されるものである。
【図面の簡単な説明】
【０００８】
【図１】本願発明の一実施形態の側面説明図である。
【図２】図１に示す実施形態の異なった状態を示す側面説明図である。
【図３】図１に示す実施形態の使用途中を示す説明図である。
【図４】図１に示す実施形態の使用状態の説明図である。
【符号の説明】
【０００９】
１  筒体
２  筒状ドレン部材
３  コンベックス係合部
４  筒体
５  筒状竪樋部材
６  コンベックス係合部
７  コンベックス
８  排水筒部
９  竪樋
１０  屋根
１１  壁面
【図１】
2006328746.tif 000003
【図２】
2006328746.tif 000004
【図３】
2006328746.tif 000005
【図４】
2006328746.tif 000006